(57)【要約】【課題】衛生的であり、かつ視覚的な効果を有する照明付きハンドルを提供する。【解決手段】パチンコ機１の正面右下の壁１ａに孔１ｂを形成し、この孔１ｂに透光性半球体１２を嵌め込み、この透光性半球体１２の内側にハンドル本体１３を配置している。パチンコ機１の使用状況や遊技場の状況に応じて各光源１４、１６を多様に発光制御し、ハンドル本体１３の殺菌や除菌を行ったり、遊技の興趣を増大させたり、緊急時の報知を行う。【選択図】図３
2006034340.tif 000002
【特許請求の範囲】
【請求項１】
手で操作されるハンドルに、該ハンドルを照明する照明手段を設けたことを特徴とする照明付きハンドル。
【請求項２】
手で操作されるハンドルの取り付け箇所に略半球状の凹部を形成し、この凹部の内側に該ハンドルを配置し、この凹部に該ハンドルを照明する照明手段を設けたことを特徴とする照明付きハンドル。
【請求項３】
照明手段は、青色乃至青紫色の光をハンドルに照射することを特徴とする請求項１又は２に記載の照明付きハンドル。
【請求項４】
照明手段は、発光ダイオードもしくは半導体レーザーであることを特徴とする請求項１又は２に記載の照明付きハンドル。
【請求項５】
凹部を透光性材料により形成し、照明手段を凹部内側に配置したことを特徴とする請求項２に記載の照明付きハンドル。
【請求項６】
ハンドルの操作量を検出する操作量センサと、この操作量センサの検出出力に基づいて、照明手段による照明を制御する制御手段とを備えることを特徴とする請求項１又は２に記載の照明付きハンドル。
【請求項７】
ハンドルへの手の接触を検出するタッチセンサと、このタッチセンサの検出出力に基づいて、照明手段による照明を制御する制御手段とを備えることを特徴とする請求項１又は２に記載の照明付きハンドル。
【発明の詳細な説明】
【技術分野】
【０００１】
本発明は、パチンコ機や回動遊技機等の遊技機のハンドルに関し、より詳しくはハンドルの照明を行う照明付きハンドルに関する。
【背景技術】
【０００２】
例えば、パチンコ機のハンドルでは、握り部を固定支持して、この握り部に対して操作レバーを回転可能に支持しており、手で操作される操作レバーの回転角度を検出し、この回転角度に応じてパチンコ球の打撃強度を調節している。また、操作レバーを任意の回転角度に保持する機構を設けたものもある（特許文献１を参照）。
【特許文献１】特開２００１−１８７１９３号公報
【発明の開示】
【発明が解決しようとする課題】
【０００３】
しかしながら、この様なハンドルが不特定多数の人々により触れられるものの、これまでは衛生面についての考慮が全くなされていなかった。
【０００４】
また、ハンドルの機能として、操作の面で多様な工夫がなされているものの、視覚的な面での工夫が十分になされていなかった。
【０００５】
そこで、本発明は、上記従来の問題に鑑みてなされたものであり、衛生的であり、かつ視覚的な効果を有する照明付きハンドルを提供することを目的とする。
【課題を解決するための手段】
【０００６】
上記課題を解決するために、本発明の照明付きハンドルは、手で操作されるハンドルに、該ハンドルを照明する照明手段を設けている。
【０００７】
また、ハンドル周囲に照明手段を設ける場合は、ハンドルの取り付け箇所に略半球状の凹部を形成し、この凹部の内側に該ハンドルを配置し、この凹部に該ハンドルを照明する照明手段を設けている。
【０００８】
更に、本発明においては、照明手段は、青色乃至青紫色の光をハンドルに照射している。
【０００９】
また、本発明においては、照明手段は、発光ダイオードもしくは半導体レーザーである。
【００１０】
更に、本発明においては、凹部を透光性材料により形成し、照明手段を凹部内側に配置している。
【００１１】
また、本発明においては、ハンドルの操作量を検出する操作量センサと、この操作量センサの検出出力に基づいて、照明手段による照明を制御する制御手段とを備えている。
【００１２】
更に、本発明においては、ハンドルへの手の接触を検出するタッチセンサと、このタッチセンサの検出出力に基づいて、照明手段による照明を制御する制御手段とを備えている。
【発明の効果】
【００１３】
この様な本発明によれば、ハンドルを照明手段により照明するため、光によるハンドルの殺菌もしくは除菌を行うことができる。また、ハンドルそのものを光らせて、視覚的な効果を向上させることができる。
【００１４】
また、ハンドル周囲に照明手段を設ける場合は、ハンドルを凹部の内側に配置して、この凹部の照明手段によりハンドルを照明しているので、ハンドル全体を照明することができ、ハンドル全体の殺菌もしくは除菌、及びハンドル全体の視覚的な効果の向上を果たすことができる。
【００１５】
例えば、照明手段により青色乃至青紫色の光をハンドルに照射しても良い。この場合は、紫外線成分を含む青色乃至青紫色の光を用いることにより、ハンドルの殺菌もしくは除菌を行うことができる。
【００１６】
また、照明手段として、発光ダイオードもしくは半導体レーザーを用いれば、多様な波長成分の照明を行うことができ、ハンドルの殺菌や、視覚的な効果の向上を容易に果たすことができる。
【００１７】
更に、凹部を透光性材料により形成し、照明手段を凹部内側に配置すれば、外観の向上を図ることができる。また、凹部そのものが発光する様に見えるので、視覚的な効果もより向上する。
【００１８】
また、ハンドルの操作量や、ハンドルへの手の接触に応じて、照明手段による照明を制御しているので、視覚的な効果がより向上する。
【発明を実施するための最良の形態】
【００１９】
以下、本発明の実施形態を添付図面を参照しつつ詳細に説明する。
【実施例１】
【００２０】
図１は、本発明の照明付きハンドルの実施例１を適用したパチンコ機を示す正面図である。また、図２は、本実施例の照明付きハンドルを示す斜視図であり、図３は、本実施例の照明付きハンドルを示す縦断面図である。
【００２１】
このパチンコ機１は、一般的なものであり、遊技盤２、パチンコ球を受ける上受け皿３、及びパチンコ球を受ける下受け皿４等を備えている。
【００２２】
本実施例の照明付きハンドル１１は、パチンコ機１の正面右下の壁１ａに孔１ｂを形成し、この孔１ｂに透光性半球体１２を嵌め込み、この透光性半球体１２の内側にハンドル本体１３を配置したものである。
【００２３】
透光性半球体１２は、フィラー（散乱体）入り合成樹脂である。合成樹脂としては、シリコン系の樹脂が波長の短い青色、青紫色の光に対し、透光性が良く、劣化もし難いので好適である。また、透光性半球体１２は、その中央に孔１２ａを有する。透光性半球体１２の内側には、複数の光源１４を配置しており、各光源１４の光を透光性半球体１２を通じて出射することができる。透光性半球体１２が半透明体であることから、各光源１４からの光の出射のときには透光性半球体１２全体が発光して見える。
【００２４】
ハンドル本体１３は、円筒状の枠体１３ａと、枠体１３ａの先端開口部を覆う透光性キャップ１３ｂと、支軸１３ｃとを備えている。円筒状の枠体１３ａの内側には、基板１５を固定配置し、この基板１５上に複数の光源１６及び光タッチセンサ１７を搭載している。また、透光性キャップ１３ｂは、透光性を有する着色合成樹脂を成形したものであり、各光源１６の光を該透光性キャップ１３ｂを通じて出射したり、光タッチセンサ１７による検出を該透光性キャップ１３ｂを通じて行うことができる。透光性半球体キャップ１３ｂが半透明体であることから、各光源１６からの光の出射のときには透光性キャップ１３ｂ全体が発光して見える。光タッチセンサ１７は、例えば発光素子及び受光素子を有する反射型センサであり、手がハンドル本体１３に触れたことを検出する。更に、支軸１３ｃは、透光性半球体１２の孔１２ａに通されて、パチンコ機１の内側の軸受け１８により軸支される。これにより、ハンドル本体１３が回動可能に支持される。回転角度センサ１９は、ハンドル本体１３の回動操作により支軸１３ｃが回転したときに、ハンドル本体１３の回動角度を検出する。
【００２５】
各光源１４、１６は、例えば発光ダイオード（ＬＥＤ）もしくは半導体レーザー（ＬＤ）であり、それらの個数、配置、及び発光色を多様に設定することが可能である。ここでは、例えば各光源１４、１６として、紫外線を出射するものと、複数色の可視光をそれぞれ出射するものとを組み合わせて適宜に配置している。
【００２６】
また、制御部２１は、各光源１４、１６を発光制御するものであり、光タッチセンサ１７の検出出力及び回転角度センサ１９の検出出力に応答して各光源１４、１６を発光制御したり、パチンコ機１を制御するコンピュータ（図示せず）等からの入力指示に応答して各光源１４、１６を発光制御する。
【００２７】
さて、この様な構成の照明付きハンドル１１においては、パチンコ機１の使用状況や遊技場の状況に応じて各光源１４、１６を多様に発光制御する。
【００２８】
例えば、パチンコ機１に遊技者が居らず、パチンコ機１が待機状態であるとする。このとき、制御部２１は、光タッチセンサ１７による検出がなされず、かつ回転角度センサ１９による検出もなされないことから、パチンコ機１が待機状態であると判定し、パチンコ機１の待機状態に対応する予め設定された可視光の発光パターンで各光源１４、１６を順次発光させる。これにより、パチンコ機１の待機状態が視覚的に周囲に報知される。
【００２９】
遊技場には、多種類のパチンコ機があるので、その種類に応じて可視光の発光パターンを設定しても良い。これにより、遠くからでも、待機中のパチンコ機の種類を知ることが可能になる。あるいは、インテリアを重視して、各パチンコ機の待機状態に対応するそれぞれの可視光の発光パターンを設定したり、女性専用コーナ、禁煙コーナ、及び喫煙コーナ等に応じてそれぞれの可視光の発光パターンを設定しても良い。
【００３０】
また、制御部２１は、パチンコ機１が待機状態であると判定すると、各光源１４、１６のうちから紫外線を出射するものを選択的に発光させる。これにより、ハンドル本体１３の殺菌もしくは除菌を行うことができる。また、紫外線と同時に青色や紫色の可視光を出射する光源を適用したり、青色や紫色の可視光を出射する他の光源を発光させれば、殺菌もしくは除菌中であることを周囲に報知することができ、かつ清潔なイメージを与えることができる。
【００３１】
パチンコ機１のハンドル本体１３が不特定多数の人々により触れられることから、紫外線によるハンドル本体１３の殺菌もしくは除菌を行うことは、衛生上、非常に好ましい。
【００３２】
次に、パチンコ機１に遊技者が来て、図４に示す様に遊技者の手Ｈがハンドル本体１３に触れると、この手Ｈの接触が光タッチセンサ１７により検出される。このとき、制御部２１は、光タッチセンサ１７の検出出力に基づいて、遊技者の手が接触したと判定して、遊技が開始されたものとみなし、待機状態のときに紫外線を出射していた光源を消灯し、かつ遊技の開始に対応する予め設定された可視光の発光パターンで各光源１４、１６を順次発光させる。これにより、遊技者の手Ｈへの紫外線の照射が防止され、かつパチンコ機１の遊技開始が視覚的に報知される。また、各光源１４、１６により遊技者の手Ｈを照明するので、遊技者に視覚的刺激を与えて、興趣を増大させるという演出が可能になる。
【００３３】
引き続いて、遊技者の手Ｈによりハンドル本体１３が回転されると、制御部２１は、回転角度センサ１９の検出出力に基づいて、ハンドル本体１３の回転角度を判定し、この回転角度に対応する予め設定された可視光の発光パターンで各光源１４、１６を発光させる。例えば、複数の回転角度範囲と複数の色を対応付けておき、ハンドル本体１３の回転角度を含む回転角度範囲を判定し、この回転角度範囲に対応する色の光源を発光させる。これにより、遊技者は、ハンドル本体１３の回転角度を察知することができ、また光の演出が単調になることが防止される。
【００３４】
尚、回転角度センサ１９の検出出力は、パチンコ機１を制御するコンピュータ等にも与えられ、ここで遊技盤２に打ち出されるパチンコ球の打撃強度を制御するために用いられる。
【００３５】
更に、パチンコ機１を制御するコンピュータ（図示せず）は、パチンコ機１の遊技中に、遊技で定義されているリーチや大当たり等が発生すると、この旨を制御部２１に通知する。これに応答して制御部２１は、リーチや大当たり等に対応する予め設定された可視光の発光パターンで各光源１４、１６を発光させる。これにより、興趣をより増大させることができる。
【００３６】
一方、遊技場のホストコンピュータ（図示せず）は、火災等の発生を入力されたり検知すると、この旨を制御部２１に通知する。これに応答して制御部２１は、緊急時に対応する予め設定された可視光の発光パターンで各光源１４、１６を発光させる。例えば、赤色の強い光を点滅させ、遊技者に非難を促す。一般に、遊技場においては、騒音が大きく、遊技者が遊技に集中しているので、緊急時の報知が困難である。このため、遊技者の手元にある照明付きハンドル１１の各光源は、極めて有効な報知手段となる。また、健常者だけではなく、聴覚障害者にとっても、極めて有効な報知手段となる。
【００３７】
この様に本実施例の照明付きハンドル１１では、パチンコ機１の使用状況や遊技場の状況に応じて各光源１４、１６を多様に発光制御し、ハンドル本体１３の殺菌や除菌を行ったり、遊技の興趣を増大させたり、緊急時の報知を行うことができる。
【００３８】
尚、本発明は、上記実施例に限定されるものではなく、凹部の無い、ハンドルだけに適用してもよく多様に変形することができる。例えば、ハンドルだけの場合、内部からの照明によりハンドル表面の殺菌効果が得られ、ハンドルがパチンコ台のから突出することによりハンドルそのものが光る視覚的効果が高くなる。また、光源として、ＬＥＤやＬＤ以外の他の種類のものを用いたり組み合わせても構わない。また、ハンドル本体を回転させるのではなく、操作レバーだけを回転させる構造であっても、本発明を適用することができる。
【図面の簡単な説明】
【００３９】
【図１】本発明の照明付きハンドルの実施例１を適用したパチンコ機を示す正面図である。
【図２】本実施例の照明付きハンドルを示す斜視図である。
【図３】本実施例の照明付きハンドルを示す縦断面図である。
【図４】本実施例の照明付きハンドルの使用状態を示す斜視図である。
【符号の説明】
【００４０】
１  パチンコ機
２  遊技盤
３  上受け皿
４  下受け皿
１１  照明付きハンドル
１２  透光性半球体
１３  ハンドル本体
１４、１６  光源
１５  基板
１７  光タッチセンサ
１８  軸受け
１９  回転角度センサ
２１  制御部
【図１】
2006034340.tif 000003
【図２】
2006034340.tif 000004
【図３】
2006034340.tif 000005
【図４】
2006034340.tif 000006